(57)【特許請求の範囲】
【請求項１】
上水道の給水を受けて大便器洗浄と局部洗浄用の吐水を行なう衛生洗浄装置において、給水金具により供給される外部からの洗浄水を便器に供給する給水路と局部洗浄バルブへ供給する給水路とに分岐する分岐金具を、前記衛生洗浄装置に押え金具で遊嵌状に固定した給水金具に固定すると同時にケースプレートに固定された他部品とクイックファスナで接合するとともに、前記局部洗浄バルブを前記分岐金具とのねじ締めのみで固定したことを特徴とする衛生洗浄装置。
【請求項２】
請求項１において、前記分岐金具に締結された前記給水金具に突起を設け、また前記ケースプレートから前記突起に対向する面に突起を設けたことを特徴とする衛生洗浄装置。
【発明の詳細な説明】
【０００１】
【発明の属する技術分野】
本発明は上水道の給水を受けて大便器洗浄と局部洗浄用の吐水を行なう衛生洗浄装置に関する。
【０００２】
【従来の技術】
従来は、分岐金具と便器洗浄装置と局部洗浄装置それぞれをケースプレートにねじ固定し、給水管同士のシール部の接合はクイックファスナを使用していた。
【０００３】
【発明が解決しようとする課題】
従来の固定方法では、分岐金具、便器開閉装置、局部洗浄開閉装置それぞれのケースプレートへのねじ締め部のばらつきによりシール部に偏りが発生し、漏水する場合がある。また、外力を受けたときに各接続部に破損が受けないよう確実に固定する必要がある。
【０００４】
【課題を解決するための手段】
上記目的を達成するために請求項１は、上水道の給水を受けて大便器洗浄と局部洗浄用の吐水を行なう衛生洗浄装置において、給水金具により供給される外部からの洗浄水を便器に供給する給水路と局部洗浄バルブへ供給する給水路とに分岐する分岐金具を、前記衛生洗浄装置に押え金具で遊嵌状に固定した給水金具に固定すると同時にケースプレートに固定された他部品とクイックファスナで接合するとともに、前記局部洗浄バルブを前記分岐金具とのねじ締めのみで固定したことを特徴とする。請求項１の衛生洗浄装置によれば、大便器洗浄バルブのみをケースプレートにねじ固定し、分岐金具と大便器洗浄バルブの接合部はクイックファスナにて、また分岐金具の反対側は多少のクリアランスを持たせた押え金具にて遊嵌状にケースプレートに固定をすることで、分岐金具の固定のばらつきが大便器洗浄バルブとの接合部に影響を及ぼさず、これにより、良好なシール性が確保できる。
【０００５】
また、局部洗浄バルブの固定を分岐金具とのねじ締めのみで行うことにより、局部洗浄バルブ固定のばらつきが、分岐金具と大便器洗浄バルブの接合部に影響を及ぼさず、これにより、良好なシール性が確保できる。
【０００６】
上記目的を達成するために請求項２は、分岐金具に締結された給水金具に突起を設け、またケースプレートから前記突起に対向する面に突起を設けたことを特徴とする。請求項３の衛生洗浄装置によれば、分岐金具に締結された給水金具に突起を設け、またこの突起に対向する面にケースプレートから突起を設けることにより給水金具に外力を受けた時に前記突起部がストッパとなりシール部の破損を保護できる。
【０００９】
【発明の実施の形態】
図1は本発明の一実施形態に係る衛生洗浄装置を示す。
図1に示すように、大便器洗浄バルブを備えた便器洗浄装置と一体化されたタイプ（本明細書では「一体型」と呼ぶ）の衛生洗浄装置２は便器１の後部に搭載された大便器洗浄バルブ内蔵の本体４を備え、この本体４の内部には図示しない熱交換器、脱臭装置、乾燥装置、などの各種機能部品が収まっている。このような一体型装置２では、本体4の後部側面に給水口８が設けられており、この給水口８に止水栓１０からの給水管１２がナット締め等によって結合されている。
【００１０】
図２に本発明を実現する為の実施例を示す。以下添付図面に基づいて説明をする。１３は大便器洗浄バルブ、１４は分岐金具、１５は給水金具、１６はクイックファスナ、１７は局部洗浄バルブ、１８は押え金具、２２はケースプレートである。
図１に示したように、トイレの壁面等に埋設された水道管と接続された給水管３がトイレの側壁または床面から突設され、給水管３に接続された止水栓１０に給水管１２が袋ナットで固定接続されており、また給水管１２は給水金具１５に袋ナットで固定接続されている。
【００１１】
図３に示すように分岐金具１４と給水金具１５は抜け止め用のストッパ２４を挟んで袋ナットと分岐金具１４に設けられたねじ部１４ａにて回転自在な構造で接続されており、Ｏリング２３にてシールされている。また、図５に示すように給水金具１２と分岐金具１４との接続部根元を馬蹄形状の押え金具１８にてケースプレート２２からのＵ時形状の突起部２２ａへねじ２０により固定ししている。分岐金具１４と大便器洗浄バルブ１３はクイックファスナ１６にて接合されており、さらにＯリング２６でシールされている。大便器洗浄バルブ１３はケースプレート２２に直接ねじ１９により固定されており、局部洗浄バルブ１７は分岐金具１４にねじ２５により接続されている。
このように大便器洗浄バルブ１３以外はケースプレート２２に直接ねじ固定をしない為、各部品の固定による偏りが大便器洗浄バルブ１３と分岐金具１４のクイックファスナ１６による接合部に影響を与えることは無い。また接続作業時に発生する応力を押え金具１８とケースプレートからの突起２２ａ、及び給水金具１５に設けた突起１５ａとケースプレート２２に設けた突起２２ａ、及び押え金具１８と袋ナット２１が受けるため、応力が大便器洗浄バルブ１３や局部洗浄バルブ１７に伝わることが全く無くなり、また給水金具１５に回転自在な構造をもたせることにより作業者の意図する方向に変えられるため狭いトイレ内の接続作業が容易となる。
さらに給水管１２をフレキシブルチューブで構成して清掃する場合もあるがそのような場合に発生するチューブの捻れによる応力も大便器洗浄バルブ１３や局部洗浄バルブ１７に加わることが無くなる。
【００１２】
【発明の効果】
本発明は上記構成により次の効果を発揮する。
請求項１のように、分岐金具をケースプレートに直接固定しないことでクイックファスナにより接合されたシール部にＯリングの偏りを防ぐことができてシール性を向上させることができる。
また、局部洗浄バルブの固定を分岐金具のみの接合で行うのでクイックファスナにより接合されたシール部にＯリングの偏りを防ぐことができてシール性を向上させることができる。
請求項２のように給水金具に突起を設け、さらにケースプレートにその受けを設けることによって給水管を給水金具に接続した際大便器洗浄バルブや局部洗浄バルブに無理な力が加わることがない。
【図面の簡単な説明】
【図１】    本発明の一体型衛生洗浄装置の斜視図である。
【図２】    本発明の実施例を示す斜視図である。
【図３】    本発明の実施例を示す大便器洗浄バルブと分岐金具結合部の断面図である。
【図４】    本発明の実施例を示す局部洗浄バルブと分岐金具結合部の断面図である。
【図５】    本発明の実施例を示す押え金具部の断面図である。
【符号の説明】
１０…止水栓
１２…給水管
１３…大便器洗浄バルブ
１４…分岐金具
１４ａ…分岐金具ねじ部
１５…給水金具
１５ａ…給水金具突起
１６…クイックファスナ
１７…局部洗浄バルブ
１８…押え金具
１９…大便器洗浄バルブ固定ねじ
２０…押え金具固定ねじ
２１…袋ナット
２２…ケースプレート
２２ａ…ケースプレート突起
２３…Ｏリング
２４…ストッパ
２５…局部洗浄バルブ固定ねじ
２６…Ｏリング
【図１】
0004204030.tif 000002
【図２】
0004204030.tif 000003
【図３】
0004204030.tif 000004
【図４】
0004204030.tif 000005
【図５】
0004204030.tif 000006